(57)【要約】【課題】何処でも植物の観賞と香料の香りとを楽しむことができ、香料に起因する植物育成への悪影響を軽減できる植物育成容器を提供する。【解決手段】植物育成容器１は、栽培培地１００に植えられた植物１０１が載置台１０に載置され、載置台１０に立設した透明な周囲壁部２０の上に着脱可能に蓋体３０が装着される。蓋体３０は、下方の載置台１０に向けられた点灯自在なＬＥＤ３１を備えたＬＥＤ基板３２と、ＬＥＤ基板３２よりも上方に配置された、香料３４を載せるための香料載置部３５と、香料載置部３５の上方に形成した開口部３８とを有し、ＬＥＤ３１が点灯中は、ＬＥＤ基板３２から生じる熱に起因する空気の対流によって香料３４の香り成分が開口部３８から外部環境に積極的に拡散される。【選択図】図１
2014147323.tif 000002
【特許請求の範囲】
【請求項１】
栽培培地に植えられた植物を収容して栽培するとともに収容した植物を外部から観賞できる植物育成容器において、
栽培培地に植えられた植物を載置するための載置台と、該載置台に立設した透明な周囲壁部と、該周囲壁部の上に着脱可能に装着された蓋体とを備え、
前記蓋体は、下方の載置台に向けて射光する光源と、該光源よりも上方に配置された、香料を載せるための香料載置部と、該香料載置部の上方に形成した開口部とを有し、
前記光源の点灯中は、該点灯により生じる熱に起因する空気の対流によって前記香料の香り成分が前記開口部から外部環境に拡散されることを特徴とする植物育成容器。
【請求項２】
前記蓋体は、前記周囲壁部に囲まれた内部空間の空気が前記香料載置部へ流入可能とする通気孔を設けたことを特徴とする請求項１に記載の植物育成容器。
【請求項３】
前記光源と前記香料載置部との間隙に前記光源へ電力供給する電源部を配設し、前記通気孔は、前記周囲壁部に囲まれた内部空間と前記間隙とを連通するものと、該間隙と前記香料載置部とを連通するものとであることを特徴とする請求項２に記載の植物育成容器。
【請求項４】
前記開口部を取り付け自在にメッシュで覆ったことを特徴とする請求項１，２または３に記載の植物育成容器。
【発明の詳細な説明】
【技術分野】
【０００１】
本発明は、栽培培地に植えられた植物を収容して栽培するとともに収容した植物を外部から観賞できる植物育成容器に関する。
【背景技術】
【０００２】
植物や香り等が人を癒すことは従来からよく知られており、また、実際に実感することができることである。このため、意識的か否かに限らず、従来から建物の内外を問わず植物が栽培され、観賞されている。
【０００３】
植物を室内で観賞するために花瓶や植木鉢を利用して植物栽培することの他に、植物育成容器で栽培することも行われている。例えば特許文献１に示すような植物栽培ボトルである。
この植物栽培ボトルは、透過性のあるボトル体、該ボトル体の下開口部に装着するカップ台、ボトル体の上開口部に装着する蓋体から構成されており、カップ台には栽培培地を充填し、該充填した栽培培地に植物を植え込むようにした植物栽培ボトルである。この植物栽培ボトルの蓋体下側には発光装置が設けられており、低光源下または無光環境であっても明瞭に観賞することができる。さらに、容易に載置場所を移すことができる。
【０００４】
また、植物の観賞だけでなく、植物の観賞とともに香りを楽しむことができるようにしたものも有る。例えば特許文献２にて提案されている植物観賞容器がある。この植物観賞容器は、容器の下部に設けられている、培地及び当該培地上で生育し得る開花植物を収納する観賞可能な培養容器部と、容器の上部に設けられている、香料揮散孔を有し内部に香料が収納された香料容器部とを備えたものである。
【０００５】
この植物観賞容器では、香料を培地に添加したり、培地に置いたりしないことにより、香料の影響によって植物の育成が阻害されたり、植物が枯れたりしないようにしている。これにより、植物の観賞と同時に香りを楽しめる状態を長時間に亘って維持できるようにしたものである。
【先行技術文献】
【特許文献】
【０００６】
【特許文献１】実用新案登録第３１７８３６２号公報
【特許文献２】特許第３７７１６０２号公報
【発明の概要】
【発明が解決しようとする課題】
【０００７】
しかしながら、特許文献２にて提案された技術では、植物を観賞して楽しんだり、香りを楽しんだりすると同時に癒しを得ることができるという点で優れているが、明るい場所でしか植物の観賞ができないという問題点がある。また、香料が植物の上方に配置されているとはいえ、香料成分が下方の植物に達してしまう恐れがあり、香料の影響によって植物が育成を阻害されたり、枯れたりすることの恐れが十分には解消されていないという問題点も有った。
【０００８】
本発明は、このような従来の技術が有する問題点に着目してなされたもので、いつでも何処でも植物の観賞と香りとを楽しむことができ、また、香りの拡散をより良くするとともに香料に起因する植物育成への悪影響をより軽減することができるようにした植物育成容器を提供することを目的としている。
【課題を解決するための手段】
【０００９】
前述した目的を達成するための本発明の要旨とするところは、以下の各項の発明に存する。
［１］栽培培地（１００）に植えられた植物（１０１）を収容して栽培するとともに収容した植物（１０１）を外部から観賞できる植物育成容器（１）において、
栽培培地（１００）に植えられた植物（１０１）を載置するための載置台（１０）と、該載置台（１０）に立設した透明な周囲壁部（２０）と、該周囲壁部（２０）の上に着脱可能に装着された蓋体（３０）とを備え、
前記蓋体（３０）は、下方の載置台（１０）に向けて射光する光源（３１）と、該光源（３１）よりも上方に配置された、香料（３４）を載せるための香料載置部（３５）と、該香料載置部（３５）の上方に形成した開口部（３８）とを有し、
前記光源（３１）の点灯中は、該点灯により生じる熱に起因する空気の対流によって前記香料（３４）の香り成分が前記開口部（３８）から外部環境に拡散されることを特徴とする植物育成容器（１）。
【００１０】
［２］前記蓋体（３０）は、前記周囲壁部（２０）に囲まれた内部空間（２１）の空気が前記香料載置部（３５）へ流入可能とする通気孔（４１，４２）を設けたことを特徴とする［１］に記載の植物育成容器（１）。
【００１１】
［３］前記光源（３１）と前記香料載置部（３５）との間隙（３９）に前記光源（３１）へ電力供給する電源部（３３）を配設し、前記通気孔（４１，４２）は、前記周囲壁部（２０）に囲まれた内部空間（２１）と前記間隙（３９）とを連通するものと、該間隙（３９）と前記香料載置部（３５）とを連通するものとであることを特徴とする［２］に記載の植物育成容器（１）。
【００１２】
［４］前記開口部（３８）を取り付け自在にメッシュ（５０）で覆ったことを特徴とする［１］，［２］または［３］に記載の植物育成容器（１）。
【００１３】
前記本発明は次のように作用する。
項［１］の植物育成容器（１）によれば、周囲壁部（２０）から蓋体（３０）を外しておき、カップ（Ｃ）などに入れた栽培培地（１００）に植物（１０１）を植え込んだものを載置台（１０）に置く。その後、周囲壁部（２０）の上に蓋体（３０）を装着し、蓋体（３０）の香料載置部（３５）に香料（３４）を載置する。
【００１４】
このように植物（１０１）を収容した植物育成容器（１）を明るい周囲環境内に置いた場合は、透明な周囲壁部（２０）を通して内部の植物（１０１）を観賞することができる。同時に香料載置部（３５）に置かれた香料（３４）から漂う香りを楽しむことができる。これにより、視覚と臭覚を通じた癒しを得ることができる。
【００１５】
また、周囲環境が暗い所に植物育成容器（１）を置いた場合には、光源（３１）を点灯させることによって、内部の植物（１０１）を観賞することができる。光源（３１）を点灯している間は、光源（３１）から発生する熱が光源（３１）よりも上方に有る香料載置部（３５）に伝導するので、該香料載置部（３５）の空気に対流が生じる。これにより、光源（３１）を点灯していないときよりも多くの香り成分を蓋体（３０）の開口部（３８）から外部環境に拡散させることができる。
【００１６】
項［２］の植物育成容器（１）のように周囲壁部（２０）に囲まれた内部空間（２１）の空気が香料載置部（３５）へ流入可能とする通気孔（４１，４２）を蓋体（３０）に設けたものの場合には、光源（３１）の点灯中は、香料載置部（３５）の空気に対流が生じる他、周囲壁部（２０）に囲まれた内部空間（２１）の空気が通気孔（４１，４２）を通って香料載置部（３５）へ流入する流れも発生する。これにより、植物（１０１）の収容されている内部空間（２１）が換気される。
【００１７】
また、空気の流れが内部空間（２１）から上方へ流れて外部環境に至るので、香料（３４）の香り成分が内部空間（２１）に入り込むことを防止することができ、香り成分によって植物（１０１）が悪影響を受けてしまうことを防止することができる。
【００１８】
項［３］の植物育成容器（１）によれば、通気孔（４１，４２）は、周囲壁部（２０）に囲まれた内部空間（２１）と電源部（３３）が配設された間隙（３９）とを連通するもの及び該間隙（３９）と香料載置部（３５）とを連通するものとが有り、間隙（３９）が間に存在するので、香料載置部（３５）と植物（１０１）を収容する内部空間（２１）とを直接に連通する通気孔は無く、香料載置部（３５）の香料（３４）から放出される香り成分が植物（１０１）を収容してある内部空間（２１）に入り込み難くなっている。
【００１９】
項［４］の植物育成容器（１）のように開口部（３８）をメッシュ（５０）で覆ったものの場合には、香料載置部（３５）への塵や埃の侵入を防止することができる。
【発明の効果】
【００２０】
本発明にかかる植物育成容器によれば、植物を収容して何処へでも置くことができ且つ光源を点灯することで植物を照明することができるので、何時でも何処でも植物の観賞と香りとを楽しむことができ、視覚と臭覚とを通じた癒しを得ることができる。
【００２１】
また、光源を点灯すると光源から発生する熱により、光源よりも上方の香料載置部で空気の対流が生じ、これによって香料載置部に載置された香料の香り成分が植物育成容器の外部環境に拡散されるので、より広範囲に香りが拡散されるとともに、内部空間に収容された植物に香料の香り成分が到達し難いので、香料に起因する植物育成への悪影響をより軽減することができる。
【００２２】
さらに、光源の点灯によって積極的に香り成分を外部環境に拡散することができるので、香りの弱い成分の香料を使用しても十分に香りを楽しむことができるとともに香りの強い成分の香料を使用した場合に比べて、植物への悪影響をより良く防止することができる。
【図面の簡単な説明】
【００２３】
【図１】本発明の一実施の形態に係る植物育成容器の構成の概略を示す模式図である。
【発明を実施するための形態】
【００２４】
以下、図面に基づき本発明の好適な一実施の形態を説明する。
図１は本発明の一実施の形態を示している。
図１に示すように、植物育成容器１は、栽培培地１００に植えられた植物１０１を収容して栽培するとともに収容した植物を外部から観賞することができるものであり、カップＣ等の器に入れた栽培培地１００に植えられた植物１０１を載置するための載置台１０と、この載置台１０に取り付けた透明な周囲壁部２０と、この周囲壁部２０の上に着脱可能に装着できる蓋体３０とを備えている。載置台１０は、プラスチック、金属、木材等のさまざまな素材のものを使用することができる。
【００２５】
また、周囲壁部２０は、透明性の高い素材が使用されており、例えばアクリル樹脂の他にもポリエチレンテレフタレート（ＰＥＴ），ポリカーボネート（ＰＣ）、飽和ポリエステル樹脂等である。なお、ガラスも使用することができる。この周囲壁部２０は、四角形の筒状に形成されており、内部空間２１を画成している。周囲壁部２０の形状は、四角形の筒状以外の多角形の筒状や円筒形に形成したものであってもよい。
【００２６】
この周囲壁部２０の上には蓋体３０が着脱可能に取り付けられている。周囲壁部２０の上端縁には、蓋体３０を着脱可能に取り付けるための取付溝２０１が形成されている。
【００２７】
蓋体３０の下端縁には、周囲壁部２０の取付溝２０１に嵌る取付凸部３０１が形成されている。この取付凸部３０１が取付溝２０１に嵌った状態にすることによって蓋体３０を周囲壁部２０に正常に装着することができる。
【００２８】
蓋体３０下部には、ＬＥＤ基板３２を具備している。このＬＥＤ基板３２は、蓋体３０を周囲壁部２０に取り付けた状態で載置台１０に対面する下面側にＬＥＤ３１が取り付けられている。これにより、載置台１０に載置した植物１０１に照明を当てることができ、植物１０１の育成を促進させることができる。このＬＥＤ３１は、暗所での植物１０１を観賞する際に点灯させるとよい。ＬＥＤ３１は、図示省略したスイッチによって点灯および消灯を任意に行うことができる。
【００２９】
ＬＥＤ基板３２には、蓋体３０の側壁寄りの部分に通気孔４１が穿設されている。この通気孔４１により、周囲壁部２０の内部空間２１側とＬＥＤ基板３２の上面側上方の間隙３９とが連通している。図示した例では、通気孔４１は２つであるが、１つであっても良いし、３つ以上であっても良い。また、穿設する位置も図示した例に限られるものではない。
【００３０】
蓋体３０には、ＬＥＤ基板３２よりも上方に香料３４を載せるための香料載置部３５が設けられている。この香料載置部３５は、ＬＥＤ基板３２の上方で該ＬＥＤ基板３２と略平行に拡がるように設けられた仕切り板３６によって蓋体３０の開口部３８との間に形成されている。
【００３１】
仕切り板３６とＬＥＤ基板３２との間には前記間隙３９が形成されている。間隙３９内には、不図示のＡＣアダプター等を備えた電源部３３が配設されており、電源部３３を介してＬＥＤ３１へ電力が供給される。
【００３２】
香料載置部３５は、仕切り板３６の中央に香料置き３７が形成されており、この香料置き３７の上に香料３４を置けるようになっている。香料置き３７は、図示した形状に限定されず、香料３４を安定して置くことができるものであればどのような形状のものでもよい。
【００３３】
仕切り板３６には、蓋体３０側壁寄りの部分に通気孔４２が穿設されている。この通気孔４２により、間隙３９側と香料載置部３５とが連通している。図示した例では、２つの通気孔４２が示されているが、１つであっても良いし、３つ以上であっても良い。また、穿設する位置も図示した例に限られるものではない。
【００３４】
香料載置部３５の上方に形成された開口部３８の上端縁、すなわち蓋体３０の上端縁は開口部３８全体がメッシュ５０で覆われている。メッシュ５０は、開口部３８に取り付け自在であり、例えば、メッシュ５０の下面に繰り返しの貼着および剥離が可能な貼着剤を塗布してある。
なお、電源部への電源コードは図示を省略してある。
【００３５】
次に本実施の形態に係る植物育成容器１の作用を説明する。
植物育成容器１は、周囲壁部２０によって画成された内部空間２１に植物１０１を載置して栽培するとともに観賞することができる。植物１０１は、カップＣに入れた栽培培地１００に植え込んでおく。植物育成容器１は、蓋体３０を外すことができるので、蓋体３０を外してから植物１０１を植え込んだカップＣを載置台１０に置くことができる。
【００３６】
蓋体３０を周囲壁部２０の上に装着するときは、蓋体３０の下端縁に形成された取付凸部３０１を周囲壁部２０の上端縁に形成された取付溝２０１に嵌め込めば良い。次に、蓋体３０の香料載置部３５に香料３４を載せてから開口部３８を覆うようにメッシュ５０を取り付ける。
【００３７】
植物育成容器１を明るい周囲環境内に置くことにより、透明な周囲壁部２０を通して内部の植物１０１を観賞することができる。また、香料載置部３５に置かれた香料３４からは香り成分が拡散するので、植物１０１を観賞しながら香りを楽しむことができる。これにより、視覚による癒しと臭覚による癒しを同時に得ることができるので、癒しの相乗効果が得られる。
【００３８】
植物育成容器１を暗い周囲環境内に置くときには、不図示のスイッチを操作してＬＥＤ３１を点灯させればよい。これにより、暗い周囲環境内においても内部の植物１０１を観賞することができる。この場合、明るい環境下での観賞とは異なる雰囲気の中での観賞となるので、明るい環境下とは異なる楽しみを得ることができる。
【００３９】
ＬＥＤ３１を点灯している間は、ＬＥＤ基板３２から熱が発生する。この熱は、ＬＥＤ基板３２よりも上方に配設されている香料載置部３５に伝導するので、該香料載置部３５の空気に対流が生じる。さらに、間隙３９の空気もＬＥＤ基板３２からの熱によって加熱されるので、温度の上がった空気は通気孔４２を通って香料載置部３５に上昇する。間隙３９からのこの空気の流れが発生すると、内部空間２１からの空気が通気孔４１を通って間隙３９内に流れ込んでくる。
【００４０】
これにより、ＬＥＤ３１を点灯していないときよりも多くの香り成分が蓋体３０の開口部３８から外部環境へ拡散する。したがって、明るい周囲環境下に植物育成容器１を置くときでも、香料の香り成分をより多く拡散させたいときはＬＥＤ３１を点灯させればよい。
【００４１】
このように、ＬＥＤ３１を点灯させたときの空気の対流は、植物１０１の置かれた内部空間２１内から開口部３８に向かって外部環境へ拡散する方向であるので、香料載置部３５の香料３４からの香り成分が逆流して内部空間２１へ入り込むことはない。これにより、香り成分によって植物１０１が育成を阻害されたり、枯れたりすることを効果的に防止することができる。また、内部空間２１の換気をすることもできる。
【００４２】
また、内部空間２１の換気を促進するために、周囲壁部２０に外部環境と連通する通気孔を設けてもよい。なお、載置台１０に空洞を形成し、この空洞と周囲壁部２０に囲まれた空間とを連通する通気孔と、空洞と外部環境とを連通する通気孔とを形成することにより、周囲壁部２０に通気孔を形成しなくても良くなる。これにより、植物１０１の観賞時等に通気孔が視界に入ることが無いので、植物育成容器１の見栄えを良くすることができる。
【００４３】
以上、本発明の実施の形態を図面によって説明してきたが、具体的な構成は前述した実施の形態に限られるものではなく、本発明の要旨を逸脱しない範囲における変更や追加があっても本発明に含まれる。
【００４４】
例えば、メッシュ５０を取り付けて開口部３８を覆う手段として、蓋体３０の上縁に突起を設け、一方、メッシュ５０には金属あるいはプラスチックから成るリングを取り付けて、リングを蓋体３０の上縁の突起に通すようにしてメッシュ５０を取り付けてもよい。
【００４５】
また、香料３４を上から押えるような金具を設けて、香料置き３７に置いた香料３４を押えるようにして香料３４を香料置き３７に固定するようにしてもよい。
【産業上の利用可能性】
【００４６】
本発明は、栽培培地に植えられた植物を収容して栽培するとともに収容した植物を外部から観賞できる植物育成容器に関するものであるが、容器内に植物以外の被観賞物を載置してもよいので、観賞とともに香料の香りを楽しむことに広く適用することができる。
【符号の説明】
【００４７】
Ｃ…カップ
１…植物育成容器
１０…載置台
２０…周囲壁部
２１…内部空間
３０…蓋体
３１…ＬＥＤ
３２…ＬＥＤ基板
３３…電源部
３４…香料
３５…香料載置部
３８…開口部
３９…間隙
４１，４２…通気孔
５０…メッシュ
１００…栽培培地
１０１…植物
【図１】
2014147323.tif 000003